【手続補正書】
【提出日】令和2年9月1日(2020.9.1)
【手続補正１】
【補正対象書類名】特許請求の範囲
【補正対象項目名】全文
【補正方法】変更
【補正の内容】
【特許請求の範囲】
【請求項１】
インターネットインターフェース装置であって、
通信インターフェース手段と、
処理手段であって、
前記インターネットインターフェース装置に接続されたローカルネットワーク内の装置によって生成され、前記通信インターフェース手段を介して受信され、インターネットドメインをターゲットにしたデータパケットを遮断することであって、前記データパケットが、前記ローカルネットワーク内の前記装置を識別するクッキーを含む、遮断することと、
前記ローカルネットワーク内の前記装置があるグループの装置の組の一部分であるという判定にのみ応答して、
前記ローカルネットワーク内の前記装置を識別する前記クッキーを、前記インターネットインターフェース装置を識別するクッキーに置き換えることと、
を実行するように構成された処理手段と
を含むインターネットインターフェース装置。
【請求項２】
前記処理手段が、さらに、
前記ローカルネットワーク内の前記装置を識別する前記クッキーと、前記インターネットインターフェース装置を識別する前記クッキーとの間のリンクを示す情報を前記インターネットインターフェース装置に記憶するように構成された、請求項１に記載のインターネットインターフェース装置。
【請求項３】
前記処理手段がインターネットドメインのリストを維持し、前記パケットがターゲットにされる前記インターネットドメインがインターネットドメインの前記リストに含まれる場合にのみ、前記データパケットを修正するようにさらに構成された、請求項１または請求項２に記載のインターネットインターフェース装置。
【請求項４】
前記グループが世帯である、請求項１に記載のインターネットインターフェース装置。
【請求項５】
前記処理手段によって修正された前記データパケットを出力する第２の通信インターフェース手段をさらに含む、請求項１に記載のインターネットインターフェース装置。
【請求項６】
処理手段および通信インターフェース手段を含むインターネットインターフェース装置においてデータパケットを処理する方法であって、
前記処理手段により、前記インターネットインターフェース装置に接続されたローカルネットワーク内の装置によって生成されるデータパケットを遮断することであって、前記データパケットが前記通信インターフェース手段を介して受信され、インターネットドメインをターゲットにされ、前記データパケットが、前記ローカルネットワーク内の前記装置を識別するクッキーを含む、遮断することと、
前記ローカルネットワーク内の前記装置があるグループの装置の組の一部分であるという判定にのみ応答して、
前記ローカルネットワーク内の前記装置を識別する前記クッキーを、前記インターネットインターフェース装置を識別するクッキーに置き換えることと、を含む、方法。
【請求項７】
前記ローカルネットワーク内の前記装置を識別する前記クッキーと、前記インターネットインターフェース装置を識別する前記クッキーとの間のリンクを示す情報を前記インターネットインターフェース装置に記憶することをさらに含む、請求項６に記載の方法。
【請求項８】
前記処理手段がインターネットドメインのリストを維持し、および前記修正することが、前記パケットがターゲットにされる前記インターネットドメインがインターネットドメインの前記リストに含まれる場合にのみ実行される、請求項６または請求項７に記載の方法。
【請求項９】
前記グループが世帯である、請求項６に記載の方法。
【請求項１０】
第２の通信インターフェース手段を介して、前記処理手段によって修正された前記データパケットを出力することをさらに含む、請求項６に記載の方法。
【請求項１１】
請求項６〜請求項１０のいずれか一項に記載の方法を実装するプロセッサによって実行可能なプログラムコード命令を含むコンピュータプログラム。
【手続補正２】
【補正対象書類名】明細書
【補正対象項目名】００５４
【補正方法】変更
【補正の内容】
【００５４】
本明細書の特許請求の範囲において、指定された機能を実行するための手段として表される任意の要素は、たとえば、ａ）その機能を実行する回路素子の組合せ、または、ｂ）したがって、そのソフトウェアを実行して機能を実行するための適切な回路と組み合わされた、ファームウェア、マイクロコードなどを含む任意の形式でのソフトウェアを含む、その機能を実行する任意の方式を包含するものである。このような特許請求の範囲によって定義される本開示は、列挙された様々な手段によって提供される機能が、特許請求の範囲が要求する方式で組み合わされ、まとめられるという事実にある。したがって、それらの機能を提供できる任意の手段は、本明細書に示したものと均等であるとみなされる。
上記実施形態の一部又は全部は、以下の付記のようにも記載されうるが、以下には限られない。
（付記１）
インターネットインターフェース装置であって、
通信インターフェース手段と、
処理手段であって、
前記インターネットインターフェース装置に接続されたローカルネットワーク内の装置によって生成され、前記通信インターフェース手段を介して受信され、インターネットドメインをターゲットにしたデータパケットを遮断することと、
前記ローカルネットワーク内の前記装置と前記インターネットインターフェース装置との関連付けを示す情報を含むように前記データパケットを修正することと
を実行するように構成された処理手段と
を含むインターネットインターフェース装置。
（付記２）
前記データパケットが、前記ローカルネットワーク内の前記装置を識別するクッキーを含み、および前記処理手段が、
前記ローカルネットワーク内の前記装置を識別する前記クッキーを、前記インターネットインターフェース装置を識別するクッキーに置き換え、前記ローカルネットワーク内の前記装置を識別する前記クッキーと、前記インターネットインターフェース装置を識別する前記クッキーとの間のリンクを示す情報を前記インターネットインターフェース装置に記憶することと、
前記インターネットインターフェース装置を識別するクッキーを前記データパケットに追加することと
のうちの１つにより、前記ローカルネットワーク内の前記装置と前記インターネットインターフェース装置との前記関連付けを示す情報を含むように前記データパケットを修正するように構成された、付記１に記載のインターネットインターフェース装置。
（付記３）
前記処理手段がインターネットドメインのリストを維持し、前記パケットがターゲットにされる前記インターネットドメインがインターネットドメインの前記リストに含まれる場合にのみ、前記データパケットを修正するようにさらに構成された、付記１または付記２に記載のインターネットインターフェース装置。
（付記４）
前記処理手段が、前記ローカルネットワーク内の前記装置があるグループの装置の組の一部分であるという判定にのみ応答して、前記データパケットを修正するようにさらに構成された、付記１に記載のインターネットインターフェース装置。
（付記５）
前記グループが世帯である、付記４に記載のインターネットインターフェース装置。
（付記６）
前記処理手段によって修正された前記データパケットを出力する第２の通信インターフェース手段をさらに含む、付記１に記載のインターネットインターフェース装置。
（付記７）
処理手段および通信インターフェース手段を含むインターネットインターフェース装置においてデータパケットを処理する方法であって、
前記処理手段により、前記インターネットインターフェース装置に接続されたローカルネットワーク内の装置によって生成されるデータパケットを遮断することであって、前記データパケットが前記通信インターフェース手段を介して受信され、インターネットドメインをターゲットにされる、遮断することと、
前記処理手段により、前記ローカルネットワーク内の前記装置と前記インターネットインターフェース装置との関連付けを示す情報を含むように前記データパケットを修正することと
を含む、方法。
（付記８）
前記データパケットが、前記ローカルネットワーク内の前記装置を識別するクッキーを含み、前記修正することが、
前記ローカルネットワーク内の前記装置を識別する前記クッキーを、前記インターネットインターフェース装置を識別するクッキーに置き換え、前記ローカルネットワーク内の前記装置を識別する前記クッキーと、前記インターネットインターフェース装置を識別する前記クッキーとの間のリンクを示す情報を前記インターネットインターフェース装置に記憶することと、
前記インターネットインターフェース装置を識別するクッキーを前記データパケットに追加することと
のうちの１つを行うことによって実行される、付記７に記載の方法。
（付記９）
前記処理手段がインターネットドメインのリストを維持し、および前記修正することが、前記パケットがターゲットにされる前記インターネットドメインがインターネットドメインの前記リストに含まれる場合にのみ実行される、付記７または付記８に記載の方法。
（付記１０）
前記修正することが、前記ローカルネットワーク内の前記装置があるグループの装置の組の一部分であるという判定にのみ応答して実行される、付記７に記載の方法。
（付記１１）
前記グループが世帯である、付記１０に記載の方法。
（付記１２）
第２の通信インターフェース手段を介して、前記処理手段によって修正された前記データパケットを出力することをさらに含む、付記７に記載の方法。
（付記１３）
付記７〜付記１２のいずれか一項に記載の方法の前記ステップを実装するプロセッサによって実行可能なプログラムコード命令を含むコンピュータプログラム。